(57)【要約】【課題】筐体内でプリント基板とコネクタを介して接続するバックプレーンとを安定して接続させることができるロック機構を提供する。【解決手段】筐体１８内のバックプレーン２０にコネクタ２４、２６を介して接続された複数のプリント基板２２を、筐体１８内で固定するロック機構１０であって、複数のプリント基板２２の各々に形成された係合部２８に係合する複数の係合片３０を備える係合部材３２を有し、係合片３０を係合部２８に係合させるときに、係合片３０は、プリント基板２２のコネクタ２６とバックプレーン２０のコネクタ２４とが嵌合される方向にプリント基板２２を押圧する。【選択図】図１
2019096690.tif 000002
【特許請求の範囲】
【請求項１】
筐体内のバックプレーンにコネクタを介して接続された複数のプリント基板を、前記筐体内で固定するロック機構であって、
複数の前記プリント基板の各々に形成された係合部に係合する複数の係合片を備える係合部材を有し、
前記係合片を前記係合部に係合させるときに、前記係合片は、前記プリント基板の前記コネクタと前記バックプレーンの前記コネクタとが嵌合される方向に前記プリント基板を押圧する、ロック機構。
【請求項２】
請求項１に記載のロック機構であって、
前記係合部は、前記プリント基板の前記コネクタの近傍に形成される、ロック機構。
【請求項３】
請求項２に記載のロック機構であって、
前記係合部材は、前記プリント基板と前記バックプレーンとの間に配置される、ロック機構。
【請求項４】
請求項１〜３のいずれか１項に記載のロック機構であって、
前記係合部材は操作部を有し、
前記操作部が操作されることによって前記係合部材が移動されて、前記係合部と前記係合片との係合および係合解除が行われる、ロック機構。
【請求項５】
請求項１〜３のいずれか１項に記載のロック機構であって、
前記係合部材の一部を前記筐体の外部に突出させる方向に押圧する付勢部材を有し、
前記筐体が他の機器に取り付けられるときに、前記他の機器が、前記係合部材の前記筐体の外部に突出されている部分を押圧することによって、前記係合部と前記係合片とを係合させるように前記係合部材が移動される、ロック機構。
【請求項６】
請求項１〜５のいずれか１項に記載のロック機構であって、
前記係合部は、前記プリント基板を厚さ方向に貫通する穴として形成され、
前記係合部材が前記プリント基板の厚さ方向に移動されることによって、前記係合片と前記係合部との係合または係合解除が行われ、
前記係合片は、前記係合部と当接する面に傾斜部を有する、ロック機構。
【請求項７】
請求項１〜５のいずれか１項に記載のロック機構であって、
前記係合部は、前記プリント基板が円弧状に切り欠かれることにより形成され、
前記係合部材を回動させることにより、前記係合片と前記係合部との係合または係合解除が行われる、ロック機構。
【発明の詳細な説明】
【技術分野】
【０００１】
本発明は、筐体内のバックプレーンにコネクタを介して接続された複数のプリント基板を、筐体内で固定するロック機構に関する。
【背景技術】
【０００２】
下記特許文献１には、複数枚のプリント基板を実装した筐体から、プリント基板が抜け出ることを防止するロック機構が開示されている。
【先行技術文献】
【特許文献】
【０００３】
【特許文献１】実公平０１−０３５５１８号公報
【発明の概要】
【発明が解決しようとする課題】
【０００４】
上記特許文献１の技術では、筐体内でのプリント基板の動きを拘束することができず、プリント基板がコネクタを介して接続する部材との接続が不安定になるおそれがあった。
【０００５】
本発明は、上記の問題を解決するためになされたものであり、筐体内でプリント基板とコネクタを介して接続するバックプレーンとを安定して接続させることができるロック機構を提供することを目的とする。
【課題を解決するための手段】
【０００６】
本発明の態様は、筐体内のバックプレーンにコネクタを介して接続された複数のプリント基板を、前記筐体内で固定するロック機構であって、複数の前記プリント基板の各々に形成された係合部に係合する複数の係合片を備える係合部材を有し、前記係合片を前記係合部に係合させるときに、前記係合片は、前記プリント基板の前記コネクタと前記バックプレーンの前記コネクタとが嵌合される方向に前記プリント基板を押圧する。
【発明の効果】
【０００７】
本発明によれば、筐体内でプリント基板とコネクタを介して接続するバックプレーンとを安定して接続させることができる。
【図面の簡単な説明】
【０００８】
【図１】図１Ａは、ロック機構によりプリント基板がロックされている状態の筐体の内部の状態を示す模式図である。図１Ｂは、ロック機構によるプリント基板のロックが解除されている状態の筐体の内部の状態を示す模式図である。
【図２】ロック機構の模式分解斜視図である。
【図３】液晶パネルおよび制御装置を背面から見た模式図である。
【図４】図４Ａは、ロック機構によりプリント基板がロックされている状態の筐体の内部の状態を示す模式図である。図４Ｂは、ロック機構によるプリント基板のロックが解除されている状態の筐体の内部の状態を示す模式図である。
【図５】ロック機構の模式分解斜視図である。
【図６】図６Ａは、ロック機構によりプリント基板がロックされている状態の筐体の内部の状態を示す模式図である。図６Ｂは、ロック機構によるプリント基板のロックが解除されている状態の筐体の内部の状態を示す模式図である。
【発明を実施するための形態】
【０００９】
〔第１の実施の形態〕
［ロック機構の概要］
本実施の形態のロック機構１０は、数値制御装置１２の液晶パネル１４の背面に取り付けられた制御装置１６の筐体１８の内部において、バックプレーン２０に接続された複数のプリント基板２２を固定するものである。
【００１０】
図１Ａは、ロック機構１０によりプリント基板２２がロックされている状態の筐体１８の内部の状態を示す模式図である。図１Ｂは、ロック機構１０によるプリント基板２２のロックが解除されている状態の筐体１８の内部の状態を示す模式図である。
【００１１】
各プリント基板２２は、バックプレーン２０のコネクタ２４に嵌合されるコネクタ２６を有している。作業員等により、バックプレーン２０のコネクタ２４に各プリント基板２２のコネクタ２６が嵌合される。ロック機構１０によりプリント基板２２がロックされると、ロック機構１０によって、各プリント基板２２のコネクタ２６とバックプレーン２０のコネクタ２４とが嵌合する方向にプリント基板２２が押圧される。
【００１２】
［ロック機構の構成］
図２は、ロック機構１０の模式分解斜視図である。ロック機構１０は、プリント基板２２を厚さ方向に貫通する穴として形成される係合部２８、係合片３０を有する係合部材３２、および、係合部材３２を支持する固定部材３４を有している。
【００１３】
係合部２８は、プリント基板２２のコネクタ２６が設けられている位置の近傍に形成されている。固定部材３４は、筐体１８に固定されている。固定部材３４は、係合部材３２を摺動可能に支持する支持部３６、および、係合片３０が挿入される挿入孔３８を有している。
【００１４】
係合部材３２は、角柱状の軸部４０、軸部４０から軸部４０の軸方向に対して略直角方向に延びる延出部４２、および、延出部４２から延出部４２の軸方向に対して略直角方向に延びる係合片３０を有している。係合片３０に対して軸部４０が上方に位置するようにして係合部材３２を側面から見たときに、延出部４２および係合片３０は、軸部４０から略Ｌ字状に延びて形成されている。また、係合片３０に対して軸部４０が上方に位置するようにして係合部材３２を側面から見たときに、係合片３０の軸部４０と対向する側の面には、係合片３０の延出部４２側から先端に向かって下る方向に傾斜する傾斜部４４が形成されている。係合部材３２は、図１Ａおよび図１Ｂに示すように複数の係合片３０を有している。係合部材３２は、少なくともプリント基板２２の枚数以上の個数の係合部２８を有している。係合部２８は、軸部４０の軸方向に等間隔に設けられていてもよいし、等間隔に設けられていなくともよい。
【００１５】
ロック機構１０によりプリント基板２２がロックされるときには、係合部材３２を図２の矢印の方向に移動させることにより、係合片３０がプリント基板２２の係合部２８を貫通し、固定部材３４の挿入孔３８に挿入される。これにより、係合片３０が係合部２８と係合され、プリント基板２２は、係合片３０の傾斜部４４によって、バックプレーン２０側に押圧される。また、プリント基板２２は、延出部４２と固定部材３４とにより挟持される。
【００１６】
図３は、液晶パネル１４および制御装置１６を背面から見た模式図である。液晶パネル１４および制御装置１６を背面から見た状態で、ロック機構１０は、バックプレーン２０のコネクタ２４とプリント基板２２のコネクタ２６とを挟むように２か所に配置されている。また、係合部材３２は、図１Ａおよび図１Ｂに示すように、プリント基板２２とバックプレーン２０との間に配置されている。
【００１７】
図１Ａおよび図１Ｂに示すように、筐体１８の外側にはレバーとして形成された操作部４６が設けられている。作業員は、操作部４６を操作することにより、係合部材３２を軸部４０の軸方向に移動させることができ、プリント基板２２の係合部２８と係合部材３２の係合片３０との係合と係合解除を行うことができる。
【００１８】
［作用効果］
数値制御装置１２には、筐体１８の内部において、バックプレーン２０のコネクタ２４に複数のプリント基板２２のコネクタ２６が接続されている。数値制御装置１２は、工作機械等の近くに配置されることが多いため、数値制御装置１２に工作機械等の振動が伝達するおそれや、作業員や機材等が数値制御装置１２に衝突することにより衝撃が入力されるおそれがある。これにより、バックプレーン２０のコネクタ２４からプリント基板２２のコネクタ２６が外れる、また、コネクタ２４とコネクタ２６とが不完全に嵌合することによる接触不良が発生する等のおそれがある。さらに、コネクタ２４とコネクタ２６とが不完全に嵌合している状態で、数値制御装置１２に振動等が入力すると、コネクタ２４に対してコネクタ２６が動くことにより、コネクタ２４やコネクタ２６のピンの被膜が取れて、ピンが腐食するおそれがある。
【００１９】
そこで、本実施の形態では、ロック機構１０によりプリント基板２２がロックされるときに、係合部材３２の係合片３０は、プリント基板２２の係合部２８に係合され、バックプレーン２０のコネクタ２４とプリント基板２２のコネクタ２６とが嵌合される方向にプリント基板２２を押圧するようにした。これにより、バックプレーン２０のコネクタ２４とプリント基板２２のコネクタ２６とを強固に嵌合させることができる。さらに、ロック機構１０によりプリント基板２２がロックされた状態で、バックプレーン２０のコネクタ２４からプリント基板２２のコネクタ２６が外れる方向のプリント基板２２の動きを、係合片３０により規制することができる。したがって、バックプレーン２０のコネクタ２４からプリント基板２２のコネクタ２６が外れることを抑制することができる。さらに、コネクタ２４とコネクタ２６の相対移動を抑制し、コネクタ２４とコネクタ２６のピンの腐食を抑制することができる。
【００２０】
また、本実施の形態では、プリント基板２２のコネクタ２６の近傍に係合部２８を形成するようにした。係合部材３２の係合片３０から入力される力の作用点が、プリント基板２２のコネクタ２６の近傍となるため、プリント基板２２のコネクタ２６とバックプレーン２０のコネクタ２４との嵌合を強固にすることができる。
【００２１】
また、本実施の形態では、係合部材３２がプリント基板２２とバックプレーン２０との間に配置されるようにした。プリント基板２２とバックプレーン２０とはコネクタ２６とコネクタ２４の嵌合によって接続されているため、プリント基板２２とバックプレーン２０との間に隙間がある。この隙間を活用して、係合部材３２が配置することができるため、制御装置１６の大型化を抑制することができる。
【００２２】
また、本実施の形態では、係合片３０とプリント基板２２の係合部２８との係合および係合解除を行うために、作業員が係合部材３２を移動させる操作部４６を設けるようにした。これにより、作業員による、ロック機構１０のロックとロック解除の操作を容易に行うことができる。
【００２３】
また、本実施の形態では、係合部２８はプリント基板２２を厚さ方向に貫通する穴として形成され、係合部材３２がプリント基板２２の厚さ方向に移動されることによって、係合片３０と係合部２８との係合および係合解除が行われるようにした。さらに、係合片３０のプリント基板２２と当接する側の面に傾斜部４４を設けるようにした。これにより、係合部材３２を、プリント基板２２の厚さ方向に移動させることにより、係合片３０と係合部２８とを係合させるとともに、傾斜部４４によって、プリント基板２２を、プリント基板２２のコネクタ２６とバックプレーン２０のコネクタ２４とが嵌合する方向に押圧することができる。
【００２４】
〔第２の実施の形態〕
第１の実施の形態では、係合部材３２が軸部４０の軸方向に移動されることにより、係合片３０とプリント基板２２の係合部２８とが係合されるようにしていた。第２の実施の形態では、係合部材３２が軸部４０の軸回りに回動されることにより、係合片３０とプリント基板２２の係合部２８とが係合するようにした。
【００２５】
図４Ａは、ロック機構１０によりプリント基板２２がロックされている状態の筐体１８の内部の状態を示す模式図である。図４Ｂは、ロック機構１０によるプリント基板２２のロックが解除されている状態の筐体１８の内部の状態を示す模式図である。図５は、ロック機構１０の模式分解斜視図である。
【００２６】
ロック機構１０は、プリント基板２２を円弧状に切り欠かれて形成される係合部２８、係合片３０を有する係合部材３２、および、係合部材３２を支持する固定部材３４を有している。
【００２７】
係合部２８は、プリント基板２２のコネクタ２６が設けられている位置の近傍に形成されている。係合部２８は、略四分円状に形成されている。係合部２８は、プリント基板２２の辺から係合部２８の端部に進むにつれて、円弧の曲率が大きくなるように形成されている。
【００２８】
固定部材３４は、筐体１８に固定されている。固定部材３４は、係合部材３２を摺動可能に支持する支持部３６、および、係合片３０が挿入される挿入孔３８を有している。挿入孔３８は、固定部材３４を係合部２８と同形状の円弧状に切り欠かれて形成されている。
【００２９】
係合部材３２は、円柱状の軸部４０、軸部４０から軸部４０の軸方向に対して略直角方向に延びる延出部４２、および、延出部４２から延出部４２の軸方向に対して略直角方向に延びる係合片３０を有している。係合片３０に対して軸部４０が上方に位置するようにして係合部材３２を側面から見たときに、延出部４２および係合片３０は、軸部４０から略Ｌ字状に延びて形成されている。係合部材３２は、図４Ａおよび図４Ｂに示すように複数の係合片３０を有している。係合部材３２は、少なくともプリント基板２２の枚数以上の個数の係合部２８を有している。係合部２８は、軸部４０の軸方向に等間隔に設けられていてもよいし、等間隔に設けられていなくともよい。
【００３０】
ロック機構１０によりプリント基板２２がロックされるときには、係合部材３２を軸部４０の軸回りに回動させることにより、係合片３０が、プリント基板２２の係合部２８および固定部材３４の挿入孔３８に挿入される。これにより、係合片３０と係合部２８との係合が行われ、係合片３０が係合部２８の端部に向かって移動することによって、プリント基板２２は、係合片３０によりバックプレーン２０側に押圧される。また、プリント基板２２は、延出部４２と固定部材３４とにより挟持される。
【００３１】
図４Ａおよび図４Ｂに示すように、筐体１８の外側にはダイヤルとして形成された操作部４６が設けられている。作業員は、操作部４６を回転することにより、係合部材３２を軸部４０の軸回りに回動させることができ、プリント基板２２の係合部２８と係合部材３２の係合片３０との係合と係合解除を行うことができる。
【００３２】
［作用効果］
本実施の形態では、係合部２８は、プリント基板２２が円弧状に切り欠かれて形成され、プリント基板２２の辺から係合部２８の端部に進むにつれて、円弧の曲率が大きくなるように形成されるようにした。さらに、係合部材３２が軸部４０の軸回りに回動されることによって、係合片３０と係合部２８との係合および係合解除が行われるようにした。これにより、係合部材３２を回動させることにより、係合片３０と係合部２８とを係合させるとともに、係合片３０によって、プリント基板２２のコネクタ２６とバックプレーン２０のコネクタ２４とが嵌合する方向に押圧することができる。
【００３３】
［第３の実施の形態］
第１の実施の形態では、作業員により操作部４６が操作されることによって、係合部材３２の係合片３０とプリント基板２２の係合部２８との係合および係合解除が行われるようにしていた。第３の実施の形態では、筐体１８が液晶パネル１４の背面に取り付けられたとき、自動的に係合部材３２の係合片３０とプリント基板２２の係合部２８との係合が行われ、筐体１８が液晶パネル１４の背面から取り外されたときに、自動的に係合部材３２の係合片３０とプリント基板２２の係合部２８との係合解除が行われるようにした。
【００３４】
図６Ａは、ロック機構１０によりプリント基板２２がロックされている状態の筐体１８の内部の状態を示す模式図である。図６Ｂは、ロック機構１０によるプリント基板２２のロックが解除されている状態の筐体１８の内部の状態を示す模式図である。
【００３５】
係合部材３２の軸部４０の液晶パネル１４側の端部には、突出部４８が形成されている。軸部４０の突出部４８が形成される側とは反対側の端部には、筐体１８との間にバネ５０が設けられている。筐体１８が液晶パネル１４に取り付けられていない状態では、バネ５０の付勢力により係合部材３２は、係合片３０とプリント基板２２の係合部２８との係合が解除される方向に移動する。このとき、突出部４８が筐体１８の外に突出している。筐体１８が液晶パネル１４に取り付けられると、突出部４８の先端が液晶パネル１４に押圧されて、係合部材３２は、係合片３０とプリント基板２２の係合部２８との係合される方向に移動される。
【００３６】
［作用効果］
本実施の形態では、係合部材３２の突出部４８を筐体１８の外部に突出させる方向に押圧するバネ５０を有し、筐体１８が液晶パネル１４に取り付けられるときに、液晶パネル１４が係合部材３２の突出部４８を押圧することによって、係合部材３２の係合部２８とプリント基板２２の係合部２８とを係合させるように係合部材３２が移動されるようにした。
【００３７】
これにより、筐体１８が液晶パネル１４の背面に取り付けられたとき、自動的に係合部材３２の係合片３０とプリント基板２２の係合部２８との係合が行われ、筐体１８が液晶パネル１４の背面から取り外されたときに、自動的に係合部材３２の係合片３０とプリント基板２２の係合部２８との係合解除が行われる。
【００３８】
〔実施の形態から得られる技術的思想〕
上記実施の形態から把握しうる技術的思想について、以下に記載する。
【００３９】
筐体（１８）内のバックプレーン（２０）にコネクタ（２４、２６）を介して接続された複数のプリント基板（２２）を、前記筐体（１８）内で固定するロック機構（１０）であって、複数の前記プリント基板（２２）の各々に形成された係合部（２８）に係合する複数の係合片（３０）を備える係合部材（３２）を有し、前記係合片（３０）を前記係合部（２８）に係合させるときに、前記係合片（３０）は、前記プリント基板（２２）の前記コネクタ（２６）と前記バックプレーン（２０）の前記コネクタ（２４）とが嵌合される方向に前記プリント基板（２２）を押圧する。これにより、バックプレーン（２０）のコネクタ（２４）とプリント基板（２２）のコネクタ（２６）とを強固に嵌合させることができる。
【００４０】
上記のロック機構（１０）であって、前記係合部（２８）は、前記プリント基板（２２）の前記コネクタ（２６）の近傍に形成されてもよい。これにより、バックプレーン（２０）のコネクタ（２４）とプリント基板（２２）のコネクタ（２６）とを強固に嵌合させることができる。
【００４１】
上記のロック機構（１０）であって、前記係合部材（３２）は、前記プリント基板（２２）と前記バックプレーン（２０）との間に配置されてもよい。これにより、筐体（１８）の大型化を抑制することができる。
【００４２】
上記のロック機構（１０）であって、前記係合部材（３２）は操作部（４６）を有し、前記操作部（４６）が操作されることによって前記係合部材（３２）が移動されて、前記係合部（２８）と前記係合片（３０）との係合および係合解除が行われてもよい。これにより、作業員による、ロック機構（１０）のロックとロック解除の操作を容易に行うことができる。
【００４３】
上記のロック機構（１０）であって、前記係合部材（３２）の一部を前記筐体（１８）の外部に突出させる方向に押圧する付勢部材を有し、前記筐体（１８）が他の機器（１４）に取り付けられるときに、前記他の機器（１４）が、前記係合部材（３２）の前記筐体（１８）の外部に突出されている部分を押圧することによって、前記係合部（２８）と前記係合片（３０）とを係合させるように前記係合部材（３２）が移動されてもよい。これにより、筐体（１８）が他の機器（１４）に取り付けられたとき、自動的に係合部材（３２）の係合片（３０）とプリント基板（２２）の係合部（２８）との係合が行われ、筐体（１８）が他の機器（１４）から取り外されたときに、自動的に係合部材（３２）の係合片（３０）とプリント基板（２２）の係合部（２８）との係合解除が行われる。
【００４４】
上記のロック機構（１０）であって、前記係合部（２８）は、前記プリント基板（２２）を厚さ方向に貫通する穴として形成され、前記係合部材（３２）が前記プリント基板（２２）の厚さ方向に移動されることによって、前記係合片（３０）と前記係合部（２８）との係合または係合解除が行われ、前記係合片（３０）は、前記係合部（２８）と当接する面に傾斜部（４４）を有してもよい。これにより、係合部材（３２）を、プリント基板（２２）の厚さ方向に移動させることにより、係合片（３０）と係合部（２８）とを係合させるとともに、傾斜部（４４）によって、プリント基板（２２）を、プリント基板（２２）のコネクタ（２６）とバックプレーン（２０）のコネクタ（２４）とが嵌合する方向に押圧することができる。
【００４５】
上記のロック機構（１０）であって、前記係合部（２８）は、前記プリント基板（２２）が円弧状に切り欠かれることにより形成され、前記係合部材（３２）を回動させることにより、前記係合片（３０）と前記係合部（２８）との係合または係合解除が行われる。これにより、係合部材（３２）を回動させることにより、係合片（３０）と係合部（２８）とを係合させるとともに、係合片（３０）によって、プリント基板（２２）のコネクタ（２６）とバックプレーン（２０）のコネクタ（２４）とが嵌合する方向に押圧することができる。
【符号の説明】
【００４６】
１０…ロック機構                        １８…筐体
２０…バックプレーン                    ２２…プリント基板
２４、２６…コネクタ                    ２８…係合部
３０…係合片                            ３２…係合部材
【図１】
2019096690.tif 000003
【図２】
2019096690.tif 000004
【図３】
2019096690.tif 000005
【図４】
2019096690.tif 000006
【図５】
2019096690.tif 000007
【図６】
2019096690.tif 000008